(57)【要約】      （修正有）【課題】見栄えが良くて人目を惹きやすく、種々の図柄を手軽に表示することが可能な複層ガラスを提供する。【解決手段】ガラス扉やガラス窓に使用される複層ガラスであって、一対のガラス板２と、前記一対のガラス板２の周辺に装着されて当該一対のガラス板２を所定の間隔で保持するスペーサと、無数の小片を寄せ集めて作られると共に前記スペーサによって形成された一対のガラス板２の間の中空層に配置されるモザイクプレート５と、を備えている。【選択図】図１
0003202163.tif 000002
【実用新案登録請求の範囲】
【請求項１】
ガラス扉やガラス窓に使用される複層ガラスであって、
一対のガラス板と、前記一対のガラス板の周辺に装着されて当該一対のガラス板を所定の間隔で保持するスペーサと、無数の小片を寄せ集めて作られると共に前記スペーサによって形成された一対のガラス板の間の中空層に配置されるモザイクプレートと、を備えたことを特徴とする装飾性を有する複層ガラス。
【請求項２】
前記モザイクプレートは互いに結合可能な凹凸を有する複数のブロックピースから構成されていることを特徴とする請求項１記載の複層ガラス。
【請求項３】
前記モザイクプレートは、無数の凹凸が規則的に配置された平板状のベースプレートと、前記ベースプレートの凹凸に結合する複数のブロックピースと、から構成されることを特徴とする請求項１記載の複層ガラス。
【考案の詳細な説明】
【技術分野】
【０００１】
本考案は、店舗又は住宅のガラス扉やガラス窓に利用することができ、店舗の広告サインや各種装飾を任意に表示することができる複層ガラスに関するものである。
【背景技術】
【０００２】
模様や色彩などの図柄が装飾として施された複層ガラスとしては、特許文献１や特許文献２に開示されたものが知られている。特許文献１に開示された複層ガラスは、二枚のガラス板を枠板によって保持してこれらガラス板の間に中空層を設けると共に、当該中空層に面した一方のガラス板の内側に図柄が表示されたフィルムを貼付し、ガラス板を通して前記フィルムの図柄を視認可能としている。
【０００３】
特許文献２に開示された複層ガラスは、三枚のガラス板をスペーサによって等間隔で保持してこれらガラス板の間に中空層を設けたものであり、真ん中に配置された中間ガラス板としてステンドグラスを採用することにより、外側のガラス板を通して当該ステンドグラスに描かれた図柄を視認可能としている。また、中間ガラス板としてステンドグラスを用いずに、特許文献１と同様、透明なガラス板に対して図柄が着色されたフィルムを貼付した例も開示されている。
【先行技術文献】
【特許文献】
【０００４】
【特許文献１】特開２００１−１５８２００号公報
【特許文献２】特開２０００−８７１９号公報
【考案の概要】
【考案が解決しようとする課題】
【０００５】
しかし、ガラス板に対してフィルムを貼付して図柄を施した場合には、当該図柄は立体感のない平面的なものとなり、人の注意を惹きにくい平凡なものとなってしまう。また、図柄が着色されたフィルムは、例えば多数の窓に同じ図柄を付す場合は別として、貼付場所毎に一枚ずつ製作する必要があり、当該フィルムの製作コストが嵩む。
【０００６】
本考案はこのような課題に鑑みてなされたものであり、その目的とするところは、見栄えが良くて人目を惹きやすく、種々の図柄を手軽に表示することが可能な複層ガラスを提供することにある。
【課題を解決するための手段】
【０００７】
すなわち、本考案は、ガラス扉やガラス窓に使用される複層ガラスであって、一対のガラス板と、前記一対のガラス板の周辺に装着されて当該一対のガラス板を所定の間隔で保持するスペーサと、無数の小片を寄せ集めて作られると共に前記スペーサによって形成された一対のガラス板の間の中空層に配置されるモザイクプレートと、を備えている。
【０００８】
このような本考案によれば、一対のガラス板に挟まれた中空層にはモザイクプレートが配置され、このモザイクプレートは無数の小片を寄せ集めて形成されているので、当該モザイクプレートは中空層の厚みの範囲内で立体的に形成することが可能である。従って、複層ガラスに立体感のある図柄を内蔵することができ、例えば店舗のガラス扉やガラス窓として本考案の複層ガラスを適用し、前記モザイクプレートに店舗名や店舗ロゴマークを表現すれば、人目を惹きやすい図柄をガラス扉やガラス窓に内蔵することができる。
【０００９】
また、前記モザイクプレートは無数の小片を集めて形成されるので、任意の図柄を表現したモザイクプレートを手作業で一つずつ完成させることができ、種々の図柄を手軽に且つ安価に複層ガラスに内蔵させることが可能となる。
【００１０】
ここで、無数の小片を接着結合してモザイクプレートを形成する手間を考慮した場合、例えば市販のブロック玩具の如く、互いに結合可能な凹凸を有する複数のブロックピースを利用して前記モザイクプレートを形成しても良い。また、無数の凹凸が規則的に配置された平板状のベースプレートに対して、前記ベースプレートの凹凸に結合する複数のブロックピースを結合させて、前記モザイクプレートとしても良い。
【図面の簡単な説明】
【００１１】
【図１】本考案の複層ガラスの構造を簡略的に示す分解斜視図である。
【図２】本考案の複層ガラスの構造を示す断面図である。
【図３】中空層に収容するモザイクプレートの第一実施形態を示す斜視図である。
【図４】中空層に収容するモザイクプレートの第二実施形態を示す斜視図である。
【図５】中空層に収容するモザイクプレートの第三実施形態を示す斜視図である。
【考案を実施するための形態】
【００１２】
以下、添付図面を参照しながら本考案を適用した複層ガラスを詳細に説明する。
【００１３】
図１は本考案の複層ガラスの構造を簡易的に示す斜視図であり、また、図２は本考案の複層ガラスの中空層を示す断面図である。この複層ガラス１は、一対のガラス板２と、これらガラス板２を所定の間隔で保持するスペーサ３とからなり、一対のガラス板の間には中空層４が設けられている。
【００１４】
前記スペーサ３は一対のガラス板２の周囲に装着されて、これらガラス板２の間隔を一定に保持すると共に、前記中空層４を密閉する機能を有している。前記一対のガラス板２の間隔、すなわち前記中空層４の厚みは任意に設定することが可能であるが、現在市販されている複層ガラスにおいてはガラス板２の厚みが３ｍｍ、中空層４の厚みが９ｍｍ又は１２ｍｍに設定されているので、好ましくはこのサイズに合致させることで、市販の窓サッシに本考案の複層ガラス１を組み込むことが可能となる。
【００１５】
前記中空層４には無数の小片を結合して作られたモザイクプレート５が配置され、このモザイクプレート５は前記ガラス板２を通して外部から視認することが可能である。前記モザイクプレート５は、例えばレゴ／ＬＥＧＯ（登録商標）、ナノブロック（登録商標）のような市販のブロック玩具を利用して製作することが可能である。互いに結合可能な凹凸を有する複数のブロックピースを組み合わせることにより、様々な形を形成することができ、また、複数色のブロックピースを組み合わせることにより、様々な図柄を表現することが可能となる。
【００１６】
前記一対のガラス板２は、前記中空層４に収容されたモザイクプレート５を外部から視認することを前提とするため、基本的には透明であることが必要だが、無色透明に限定されるものではなく、モザイクプレート５の色彩との関係で有色透明であっても差し支えない。また、モザイクプレート５の特定の部位のみが視認されるように、ガラス板２の一部のみを透明としても差し支えない。
【００１７】
図３は前記モザイクプレート５の第一実施形態を示すものである。
【００１８】
この第一実施形態においては、前記ブロックピース５０を前記ガラス板２の面方向に沿って積み上げてモザイクプレート５を製作している。図３はモノクロ二値画像として表現している関係上、二色のブロックピース５０を積み上げることで、モザイクプレート５の一面に図柄が表現されるようにしているが、使用するブロックピース５０の色は二色に限定されるものではなく、表現する図柄に応じて数色のブロックピース５０を組み合わせて使用することができる。それにより、モザイクプレート５の一面に任意の図柄を表現することができる。使用するブロックピースの大きさは表現する図柄に応じて任意に選択することができるが、モザイクプレート５を一枚の板として取り扱うことができ、中空層４において分解することのないよう、考慮する必要がある。
【００１９】
図４は前記モザイクプレート５の第二実施形態を示すものである。
【００２０】
この第二実施形態においては、無数の凹凸が規則的に配置された平板状のベースプレート５１を設け、このベースプレート５１に対して複数色のブロックピース５０を任意に配列することで前記モザイクプレート５を製作している。表現する図柄に応じて数色のブロックピース５０を組み合わせて使用することができることは、前述の第一実施形態と同じである。
【００２１】
この第二実施形態では、ベースプレート５１又はブロックピース５０に設けられた凹凸は前記ガラス板２に向くため、前記中空層４に収容されたモザイクプレート５がブロック玩具によって構成されていることを外部から認識し易い。このため、複層ガラス１内にブロック玩具が収納されているという意外性によって、通行人の視線を惹きつけることが可能である。
【００２２】
また、中空層４の厚みによっては、一方のガラス板２を通して視認されるモザイクプレート５の模様と、他方のガラス板２を通して視認されるモザイクプレート５の模様とを異ならせることも可能であり、店舗外の通行人、店舗内の顧客に対して異なる表示を示すことができる。
【００２３】
図５は前記モザイクプレート５の第三実施形態を示すものである。
【００２４】
この第三実施形態では、前記ベースプレート５１の全面にブロックピース５０を配列するのではなく、表現する図柄に応じた任意の位置にのみブロックピース５０を配列してモザイクプレート５を製作している。このため、ベースプレート５１の色と使用するブロックピース５０の色とのコントラストによって図柄が表現される他、ブロックピース５０の高さによって図柄に立体感を表現することが可能となっている。また、図５に示した例では前記ベースプレートに対してブロックピースを一段のみ積み重ねているが、前記モザイクプレート５を収容する前記中空層４の厚みに応じ、前記ベースプレート５１に対してブロックピース５０を数段に積み重ねることも可能である。モザイクプレート５の一面に表現する図柄に応じて、前記ベースプレート５１に積み重ねるブロックピース５０の段数を多くすれば、更なる立体感をモザイクプレートに与え、それを複層ガラス１の中空層４に収容することができる。
【００２５】
以上説明してきたように、本考案の複層ガラスは二枚のガラス板２に挟まれた中空層４に対してモザイクプレート５を収容して、前記ガラス板２を通して当該モザイクプレート５に表現された種々の図柄を視認させるものであり、装飾性が高く、人目を惹きやすいといった特質がある。このため、店舗名やロゴマーク等を前記モザイクプレート５に表現することによって、当該複層ガラス１を広告表示媒体として利用することができ、店舗のガラス窓やガラス扉に最適である。
【００２６】
また、前記モザイクプレート５は複数のブロックピース５０を組み合わせて形成することができるので、複数色のブロックピース５０を組み合わせることによって任意の図柄を自由に表現することができ、発注者の希望に応じた図柄を内蔵した複層ガラス１を容易に製作することが可能である。
【００２７】
更に、前記中空層の厚みによっては、モザイクプレートに対して立体的な図柄を表現することも可能となり、かかるモザイクプレートを中空層に収容することで、一層装飾性が高く、人目を惹きやすい複層ガラスにすることができ、この点においても本考案の複層ガラスは広告表示媒体として最適である。
【００２８】
このように本考案の複層ガラスは、見栄えが良くて人目を惹きやすく、種々の図柄を手軽に表示することが可能であり、建物のガラス窓の装飾や店舗の広告サインの表示等、様々な用途への活用が可能である。
【符号の説明】
【００２９】
１…複層ガラス、２…ガラス板、３…スペーサ、４…中空層、５…モザイクプレート、５０…ブロックピース、５１…ベースプレート
【図１】
0003202163.tif 000003
【図２】
0003202163.tif 000004
【図３】
0003202163.tif 000005
【図４】
0003202163.tif 000006
【図５】
0003202163.tif 000007